(57)【特許請求の範囲】
【請求項１】
複数の辺部を有する略矩形状の第１天板と、
前記第１天板を支持する第１脚部と、
前記第１天板の前記辺部のうちの当該第１天板の幅方向の両辺部である第１、第２辺部に設けられた第１、第２枠部と、
前記第１、第２枠部間に懸架された第１補強フレームと、
複数の辺部を有しており且つ前記第１天板に閉じ合わせ可能な略矩形状の第２天板と、
前記第２天板の辺部のうちの当該第２天板の幅方向の両辺部である第４、第５辺部に設けられた第４、第５枠部とを備えており、
前記第１、第２枠部の外面が前記第４、第５枠部の内面よりも内側に位置しているテーブル。
【請求項２】
請求項１記載のテーブルにおいて、
前記第１、第２辺部の間に位置する第３辺部に設けられ且つ第１、第２枠部間を繋ぐ第３枠部を更に備えており、
前記第１脚部は、前記第３枠部に設けられており且つ前記第１天板に沿う折り畳み位置から該第１天板に対して起立する展開位置にかけて回動自在な回動脚と、
展開位置で前記回動脚と前記第３枠部との間に懸架される懸架部材と、
一端部が前記回動脚に設けられ、他端部が前記第１補強フレームに回動自在に軸支された補強片とを有しているテーブル。
【請求項３】
請求項１記載のテーブルにおいて、
前記第１、第２辺部の間に位置する第３辺部に設けられ且つ第１、第２枠部間を繋ぐ第３枠部を更に備えており、
前記第１脚部は、前記第１補強フレームに設けられており且つ前記第１天板に沿う折り畳み位置から該第１天板に対して起立する展開位置にかけて回動自在な回動脚と、
展開位置で前記回動脚と前記第１補強フレームとの間に懸架される懸架部材と、
一端部が前記回動脚に設けられ、他端部が前記第３枠部に回動自在に軸支された補強片とを有しているテーブル。
【請求項４】
請求項１記載のテーブルにおいて、
前記第２天板を支持する第２脚部と、
前記第４、第５枠部間に懸架された第２補強フレームと、
前記第２天板の前記第４、第５辺部の間に位置する第６辺部に設けられ且つ第４、第５枠部間を繋ぐ第６枠部とを更に備えており、
前記第２脚部は、前記第６枠部に設けられており且つ前記第２天板に沿う折り畳み位置から該第２天板に対して起立する展開位置にかけて回動自在な回動脚と、
展開位置で前記回動脚と前記第６枠部との間に懸架される懸架部材と、
一端部が前記回動脚に設けられ、他端部が前記第２補強フレームに回動自在に支持された補強片とを有しているテーブル。
【請求項５】
請求項２記載のテーブルにおいて、
前記懸架部材は、長さ方向の一端部同士が回動自在に連結された第１、第２片部を有しており、
前記第１片部の長さ方向の他端部が前記第３枠部に回動自在に軸支されており、
前記第２片部の長さ方向の他端部が前記回動脚に回動自在に軸支されており、
前記第１、第２片部は、前記回動脚が折り畳み位置に位置している状態で、互いに重なるように折り畳まれ、前記回動脚が展開位置に位置している状態で、一直線状になり、前記回動脚と前記第３枠部との間に懸架されるようになっているテーブル。
【請求項６】
請求項４記載のテーブルにおいて、
前記懸架部材は、長さ方向の一端部同士が回動自在に連結された第１、第２片部を有しており、
前記第１片部の長さ方向の他端部が前記第６枠部に回動自在に軸支されており、
前記第２片部の長さ方向の他端部が前記回動脚に回動自在に軸支されており、
前記第１、第２片部は、前記回動脚が折り畳み位置に位置している状態で、互いに重なるように折り畳まれ、前記回動脚が展開位置に位置している状態で、一直線状になり、前記回動脚と前記第６枠部との間に懸架されるようになっているテーブル。
【請求項７】
複数の辺部を有する多角形状の第１天板と、
前記第１天板を支持する第１脚部と、
前記辺部のうち第１、第２辺部に各々設けられた第１、第２枠部と、
前記第１、第２枠部間に懸架された第１補強フレームと、
前記辺部のうち前記第１、第２辺部の間に位置する第３辺部に設けられ且つ第１、第２枠部間を繋ぐ第３枠部と、
前記第１、第２枠部に懸架された第３補強フレームとを備えており、
前記第１脚部は、前記第３補強フレームに回動自在に設けられており且つ前記第１天板に沿う折り畳み位置から該第１天板に対して起立する展開位置にかけて回動自在な回動脚と、
展開位置で前記回動脚と前記第３補強フレームとの間に懸架される懸架部材と、
一端部が前記回動脚に設けられ、他端部が前記第１補強フレームに回動自在に軸支された補強片とを有しているテーブル。
【請求項８】
複数の辺部を有する多角形状の第１天板と、
前記第１天板を支持する第１脚部と、
前記第１天板の前記辺部のうち第１、第２辺部に各々設けられた第１、第２枠部と、
前記第１、第２枠部間に懸架された第１補強フレームと、
複数の辺部を有しており且つ前記第１天板に閉じ合わせ可能な多角形状の第２天板と、
前記第２天板の辺部のうち第４、第５辺部に各々設けられた第４、第５枠部と、
前記第２天板を支持する第２脚部と、
前記第４、第５枠部間に懸架された第２補強フレームと、
前記第２天板の前記第４、第５辺部の間に位置する第６辺部に設けられ且つ第４、第５枠部間を繋ぐ第６枠部と、
前記第４、第５枠部に懸架された第３補強フレームとを備えており、
前記第２脚部は、前記第３補強フレームに回動自在に設けられており且つ前記第２天板に沿う折り畳み位置から該第２天板に対して起立する展開位置にかけて回動自在な回動脚と、
展開位置で前記回動脚と前記第３補強フレームとの間に懸架される懸架部材と、
一端部が前記回動脚に設けられ、他端部が前記第２補強フレームに回動自在に支持された補強片とを有しているテーブル。
【請求項９】
円板状の天板と、
前記天板を支持する脚部と、
前記天板の周縁部に設けられたリング状の枠部と、
前記枠部に懸架された第３補強フレームと、
前記枠部に懸架された第４補強フレームとを備えており、
前記脚部は、前記第３補強フレームに回動自在に設けられており且つ前記天板に沿う折り畳み位置から該天板に対して起立する展開位置にかけて回動自在な回動脚と、
展開位置で前記回動脚と前記第３補強フレームとの間に懸架される懸架部材と、
一端部が前記回動脚に設けられ、他端部が前記第４補強フレームに回動自在に軸支された補強片とを有しているテーブル。
【発明の詳細な説明】
【技術分野】
【０００１】
本発明は、アウトドア等で使用されるテーブルに関する。
【背景技術】
【０００２】
この種のテーブルとしては、閉じ合わせ可能に連結された第１、第２の天板と、第１、第２の天板の辺部に設けられた略Ｕ字状の第１、第２の枠部と、第１、第２の枠部の両端部の内面に回動自在に取り付けられた一対の第１、第２の脚部を備えたものがある（特許文献１の図３参照）。
【先行技術文献】
【特許文献】
【０００３】
【特許文献１】実用新案登録第３１４６４３５号公報
【発明の概要】
【発明が解決しようとする課題】
【０００４】
ところが、前記テーブルは、第１、第２天板の辺部に第１、第２枠部が取り付けられているだけであることから、第１、第２天板の強度が弱かった。
【０００５】
本発明は、上記事情に鑑みて創案されたものであって、その目的とするところは、天板の強度を向上させることができるテーブルを提供することにある。
【課題を解決するための手段】
【０００６】
上記課題を解決するために、本発明の第１テーブルは、複数の辺部を有する略矩形状の第１天板と、前記第１天板を支持する第１脚部と、前記第１天板の前記辺部のうちの当該第１天板の幅方向の両辺部である第１、第２辺部に設けられた第１、第２枠部と、前記第１、第２枠部間に懸架された第１補強フレームと、複数の辺部を有しており且つ前記第１天板に閉じ合わせ可能な略矩形状の第２天板と、前記第２天板の辺部のうちの当該第２天板の幅方向の両辺部である第４、第５辺部に設けられた第４、第５枠部とを備えている。前記第１、第２枠部の外面が前記第４、第５枠部の内面よりも内側に位置している。
【０００７】
このような態様の発明による場合、第１、第２枠部の間に第１補強フレームが懸架されているので、第１天板の強度を向上させることができる。第１、第２天板を閉じ合わせると、第１、第２枠部が第４、第５枠部の内側に位置するので、第１、第２天板を閉じ合わせた状態の第１テーブルの厚みを低減することができる。
【０００８】
前記第１テーブルは、前記第１、第２辺部の間に位置する第３辺部に設けられ且つ第１、第２枠部間を繋ぐ第３枠部を更に備えた構成とすることが可能である。この場合、前記第１脚部は、前記第３枠部に設けられており且つ前記第１天板に沿う折り畳み位置から該第１天板に対して起立する展開位置にかけて回動自在な回動脚と、展開位置で前記回動脚と前記第３枠部との間に懸架される懸架部材と、一端部が前記回動脚に設けられ、他端部が前記第１補強フレームに回動自在に軸支された補強片とを有している。
【０００９】
このような態様の発明による場合、第１脚部の補強片の他端部が第１補強フレームに軸支されている。すなわち、第１補強フレームを補強片の軸支部として利用しているため、別途、補強片の軸支部を設ける場合に比べて部品点数の低減を図ることができ、第１テーブルの低コスト化を図ることができる。
【００１０】
或いは、前記第１脚部は、前記第１補強フレームに設けられており且つ前記第１天板に沿う折り畳み位置から該第１天板に対して起立する展開位置にかけて回動自在な回動脚と、展開位置で前記回動脚と前記第１補強フレームとの間に懸架される懸架部材と、一端部が前記回動脚に設けられ、他端部が前記第３枠部に回動自在に軸支された補強片とを有する構成とすることが可能である。このような態様の発明による場合、第１補強フレームを回動脚の軸支部として利用することができる。
【００１２】
また、前記第１テーブルは、前記第２天板を支持する第２脚部と、前記第４、第５枠部間に懸架された第２補強フレームと、前記第２天板の前記第４、第５辺部の間に位置する第６辺部に設けられ且つ第４、第５枠部間を繋ぐ第６枠部とを更に備えた構成とすることが可能である。この場合、前記第２脚部は、前記第６枠部に設けられており且つ前記第２天板に沿う折り畳み位置から該第２天板に対して起立する展開位置にかけて回動自在な回動脚と、展開位置で前記回動脚と前記第６枠部との間に懸架される懸架部材と、一端部が前記回動脚に設けられ、他端部が前記第２補強フレームに回動自在に支持された補強片とを有している。
【００１３】
このような態様の発明による場合、第４、第５枠部の間に第２補強フレームが懸架されているので、第２天板の強度を向上させることができる。また、第２脚部の補強片の他端部が第２補強フレームに軸支されている。すなわち、第２補強フレームを補強片の軸支部として利用しているため、別途、補強片の軸支部を設ける場合に比べて部品点数の低減を図ることができ、第１テーブルの低コスト化を図ることができる。
【００１４】
前記懸架部材は、長さ方向の一端部同士が回動自在に連結された第１、第２片部を有する構成とすることが可能である。この場合、前記第１片部の長さ方向の他端部が前記第３、第６枠部に回動自在に軸支されている。前記第２片部の長さ方向の他端部が前記回動脚に回動自在に軸支されている。前記第１、第２片部は、前記回動脚が折り畳み位置に位置している状態で、互いに重なるように折り畳まれ、前記回動脚が展開位置に位置している状態で、一直線状になり、前記回動脚と前記第３、第６枠部との間に懸架されるようになっている。
【００１６】
本発明の第２テーブルは、複数の辺部を有する多角形状の第１天板と、前記第１天板を支持する第１脚部と、前記辺部のうち第１、第２辺部に各々設けられた第１、第２枠部と、前記第１、第２枠部間に懸架された第１補強フレームと、前記辺部のうち前記第１、第２辺部の間に位置する第３辺部に設けられ且つ第１、第２枠部間を繋ぐ第３枠部と、前記第１、第２枠部に懸架された第３補強フレームとを備えている。前記第１脚部は、前記第３補強フレームに回動自在に設けられており且つ前記第１天板に沿う折り畳み位置から該第１天板に対して起立する展開位置にかけて回動自在な回動脚と、展開位置で前記回動脚と前記第３補強フレームとの間に懸架される懸架部材と、一端部が前記回動脚に設けられ、他端部が前記第１補強フレームに回動自在に軸支された補強片とを有している。
【００１７】
本発明の第３テーブルは、複数の辺部を有する多角形状の第１天板と、前記第１天板を支持する第１脚部と、前記第１天板の前記辺部のうち第１、第２辺部に各々設けられた第１、第２枠部と、前記第１、第２枠部間に懸架された第１補強フレームと、複数の辺部を有しており且つ前記第１天板に閉じ合わせ可能な多角形状の第２天板と、前記第２天板の辺部のうち第４、第５辺部に各々設けられた第４、第５枠部と、前記第２天板を支持する第２脚部と、前記第４、第５枠部間に懸架された第２補強フレームと、前記第２天板の前記第４、第５辺部の間に位置する第６辺部に設けられ且つ第４、第５枠部間を繋ぐ第６枠部と、前記第４、第５枠部に懸架された第３補強フレームとを備えている。前記第２脚部は、前記第３補強フレームに回動自在に設けられており且つ前記第２天板に沿う折り畳み位置から該第２天板に対して起立する展開位置にかけて回動自在な回動脚と、展開位置で前記回動脚と前記第３補強フレームとの間に懸架される懸架部材と、一端部が前記回動脚に設けられ、他端部が前記第２補強フレームに回動自在に支持された補強片とを有している。
【００１８】
本発明の第４テーブルは、円板状の天板と、前記天板を支持する脚部と、前記天板の周縁部に設けられたリング状の枠部と、前記枠部に懸架された第３補強フレームと、前記枠部に懸架された第４補強フレームとを備えている。前記脚部は、前記第３補強フレームに回動自在に設けられており且つ前記天板に沿う折り畳み位置から該天板に対して起立する展開位置にかけて回動自在な回動脚と、展開位置で前記回動脚と前記第３補強フレームとの間に懸架される懸架部材と、一端部が前記回動脚に設けられ、他端部が前記第４補強フレームに回動自在に軸支された補強片とを有している。
【００１９】
このような態様の発明による場合、枠部の間に補強フレームが懸架されているので、天板の強度を向上させることができる。脚部の補強片の他端部が補強フレームに軸支されている。すなわち、補強フレームを補強片の軸支部として利用しているため、別途、補強片の軸支部を設ける場合に比べて部品点数の低減を図ることができ、第２テーブルの低コスト化を図ることができる。
【図面の簡単な説明】
【００２４】
【図１】本発明の実施例１に係るテーブルの概略的斜視図であって、（ａ）が天板を閉じ合わせる前の状態を示す図、（ｂ）天板を閉じ合わせた状態を示す図である。
【図２】前記テーブルの部分端面図であって、（ａ）が図１（ａ）中のＡ−Ａ端面図、（ｂ）が図１（ａ）中のＢ−Ｂ端面図である。
【図３】前記テーブルの図１（ａ）中のα部分の拡大斜視図である。
【図４】前記テーブルの図１（ａ）中のβ部分の拡大底面図である。
【図５】前記テーブルの図１（ａ）中のβ部分の拡大側面図であって、（ａ）が天板を閉じ合わせる前の状態を示す図、（ｂ）天板を閉じ合わせた状態を示す図である。
【図６】前記テーブルの回動脚及び延長脚の連結状態を示す概略的部分説明図である。
【図７】本発明の実施例２に係るテーブルの概略的斜視図である。
【図８】前記テーブルを折り畳んだ状態を示す概略的斜視図である。
【図９】本発明の実施例３に係るテーブルの概略的斜視図である。
【図１０】前記テーブルを折り畳んだ状態を示す概略的斜視図である。
【図１１】本発明の実施例４に係るテーブルの概略的斜視図である。
【図１２】前記テーブルを折り畳んだ状態を示す概略的斜視図である。
【図１３】本発明の設計変形例に係るテーブルの概略的底面図である。
【図１４】本発明の別の設計変形例に係るテーブルの概略的底面図であって、（ａ）は回動脚が枠部に軸支された例を示す図、（ｂ）は回動脚が補強フレームに軸支された例を示す図である。
【発明を実施するための形態】
【００２５】
以下、本発明の実施例１乃至５に係るテーブルについて説明する。
【実施例１】
【００２６】
まず、本発明の実施例１に係るテーブルについて上記図１乃至図６を参照しつつ説明する。図１に示すテーブルは、天板１００ａ、１００ｂ（第１、第２天板）と、枠２００ａ、２００ｂ、補強フレーム３１０ａ（第１補強フレーム）、３２０ａ、３１０ｂ（第２補強フレーム）、３２０ｂ、３３０ｂと、一対の蝶番４００と、一対の脚部５００ａ、５００ｂ（第１、第２脚部）とを備えている。以下、前記テーブルの各部について詳しく説明する。
【００２７】
天板１００ａは、図１（ａ）及び図１（ｂ）に示すように、略矩形状の板であって、幅方向Ｘの両辺部（第１、第２辺部）及び長さ方向Ｙの両辺部（一方、他方の辺部）を有している。枠２００ａは、Ｕ字枠部２１０ａと、内側枠部２２０ａとを有している。Ｕ字枠部２１０ａは、天板１００ａの長さ方向Ｙの一方の辺部（第１、第２辺部の間に位置する第３辺部）及び幅方向Ｘの両辺部に固着されている。このＵ字枠部２１０ａは、図２（ａ）に示すように、断面視横向き凹字状の嵌合部２１１ａと、この嵌合部２１１ａに設けられた板状の枠本体２１２ａとを有している。嵌合部２１１ａには天板１００ａの前記一方の辺部及び前記両辺部が嵌合している。内側枠部２２０ａは、天板１００ａの長さ方向Ｙの前記他方の辺部に固着されている。内側枠部２２０ａも、図４に示すように、天板１００ａの前記他方の辺部が嵌合する断面視横向き凹字状の嵌合部２２１ａと、この嵌合部２２１ａに設けられた板状の枠本体２２２ａとを有している。枠本体２２２ａの高さ寸法は、枠本体２１２ａの高さ寸法の略半分となっている。なお、枠本体２１２ａの幅方向Ｘの両端部２１２ａ１、２１２ａ２が特許請求の範囲における第１、第２枠部に相当し、端部２１２ａ１、２１２ａ２を繋ぐ中間部２１２ａ３が特許請求の範囲における第３枠部に相当する。端部２１２ａ１、２１２ａ２は、その外面が枠２００ｂの後述する端部２１２ｂ１、２１２ｂ２の内面より内側に位置するように配置されている（図４参照）。
【００２８】
端部２１２ａ１、２１２ａ２の間には、図１（ａ）に示すように補強フレーム３１０ａが懸架されている。補強フレーム３１０ａは、断面略Ｌ字状の板であって、幅方向Ｘの両端部に一対のタブ３１１ａ（図示一つ）が設けられている。このタブ３１１ａが端部２１２ａ１、２１２ａ２に固着されている。補強フレーム３１０ａの下端部は天板１００ａに当接しており、補強フレーム３１０ａの上端部が天板１００ａ及び端部２１２ａ１、２１２ａ２に対して略直角となっている。また、中間部２１２ａ３と内側枠部２２０ａの枠本体２２２ａとの間には、補強フレーム３１０ａに対して直交するように補強フレーム３２０ａが懸架されている。補強フレーム３２０ａは、断面矩形状の板であって、長さ方向Ｙの両端部に一対のタブ３２１ａ（図示一つ）が設けられている。このタブ３２１ａが、中間部２１２ａ３、枠本体２２２ａに固着されている。補強フレーム３２０ａは、天板１００ａに当接し且つ補強フレーム３１０ａを貫通している。また、端部２１２ａ１、２１２ａ２には、樹脂製の舌部２３１ａが設けられている。この舌部２３１ａの先端部に雌ボタン２３２ａが設けられている。
【００２９】
脚部５００ａは、図１（ａ）及び図３に示すように、回動脚５１０ａと、懸架部材５２０ａと、補強片５３０ａと、延長脚５４０ａとを有している。回動脚５１０ａは、円筒状のポールであって、長さ方向の一端部が中間部２１２ａ３に軸支されている。この回動脚５１０ａは、前記一端部の軸部を支点に天板１００ａに沿う折り畳み位置から該天板１００ａに対して略直角に起立する展開位置にかけて回動自在になっている。補強片５３０ａは、板状の部材であって、一端部が回動脚５１０ａに固着され、他端部が補強フレーム３１０ａに軸支されている。この補強片５３０ａは、前記他端部の軸部を支点に回動脚５１０ａと共に折り畳み位置から展開位置にかけて回動自在になっている。懸架部材５２０ａは、図３に示すように、平板状の第１、第２片部５２１ａ、５２２ａを有している。第１、第２片部５２１ａ、５２２ａは、長さ方向の一端部同士が回動自在に連結されている。第１片部５２１ａの長さ方向の他端部は中間部２１２ａ３に回動自在に軸支されている。第２片部５２２ａの長さ方向の他端部は回動脚５１０ａに回動自在に軸支されている。回動脚５１０ａが折り畳み位置に位置しているときには、第１、第２片部５２１ａ、５２２ａは互いに重なるように折り畳まれ、回動脚５１０ａが展開位置に位置しているときには、第１、第２片部５２１ａ、５２２ａは一直線状になり、回動脚５１０ａと中間部２１２ａ３との間に懸架されるようになっている。また、延長脚５４０ａは、図６に示すように、長さ方向の一端部の外径が回動脚５１０ａの外径よりも小さい円筒状のポールである。この延長脚５４０ａが回動脚５１０ａの長さ方向の他端部に着脱自在に嵌合するようになっている。
【００３０】
天板１００ｂは、図１（ａ）及び図１（ｂ）に示すように、幅寸法が天板１００ａよりも若干大きく且つ長さ寸法が天板１００ａよりも長い略矩形状の板であって、幅方向Ｘの両辺部（第４、第５辺部）及び長さ方向Ｙの両辺部（一方、他方の辺部）を有している。枠２００ｂは、Ｕ字枠部２１０ｂと、内側枠部２２０ｂとを有している。Ｕ字枠部２１０ｂは、天板１００ｂの長さ方向Ｙの一方の辺部（第４、第５辺部の間に位置する第６辺部）及び幅方向Ｘの両辺部に固着されている。このＵ字枠部２１０ｂは、図２（ｂ）に示すように、断面視横向き凹字状の嵌合部２１１ｂと、この嵌合部２１１ｂに設けられた板状の枠本体２１２ｂとを有している。嵌合部２１１ｂには天板１００ｂの前記一方の辺部及び前記両辺部が嵌合している。内側枠部２２０ｂは、天板１００ｂの長さ方向Ｙの他方の辺部に固着されている。内側枠部２２０ｂも、図４に示すように、天板１００ｂの前記他方の辺部が嵌合する断面視横向き凹字状の嵌合部２２１ｂと、この嵌合部２２１ｂに設けられた板状の枠本体２２２ｂとを有している。枠本体２２２ｂの高さ寸法は、枠本体２１２ｂの高さ寸法の略半分となっている。なお、枠本体２１２ｂの幅方向Ｘの両端部２１２ｂ１、２１２ｂ２が特許請求の範囲における第４、第５枠部に相当し、端部２１２ｂ１、２１２ｂ２を繋ぐ中間部２１２ｂ３が特許請求の範囲における第６枠部に相当する。
【００３１】
端部２１２ｂ１、２１２ｂ２の間には補強フレーム３１０ｂ、３３０ｂが懸架されている。補強フレーム３１０ｂは、断面略Ｌ字状の板であって、幅方向Ｘの両端部に一対のタブ３１１ｂ（図示一つ）が設けられている。このタブ３１１ｂが端部２１２ｂ１、２１２ｂ２に固着されている。補強フレーム３１０ｂの下端部は天板１００ｂに当接しており、補強フレーム３１０ｂの上端部が天板１００ｂ及び端部２１２ｂ１、２１２ｂ２に対して略直角になっている。補強フレーム３３０ｂは、断面矩形状の板であって、長さ方向Ｙの両端部に一対のタブ３３１ｂ（図示一つ）が設けられている。タブ３３１ｂが、端部２１２ｂ１、２１２ｂ２に固着されている。また、中間部２１２ｂ３と内側枠部２２０ｂの枠本体２２２ｂとの間には、補強フレーム３１０ｂ、３３０ｂに対して直交するように補強フレーム３２０ｂが懸架されている。補強フレーム３２０ｂは、断面矩形状の板であって、長さ方向Ｙの両端部に一対のタブ３２１ｂ（図示一つ）が設けられている。タブ３２１ｂが、中間部２１２ｂ３、枠本体２２２ｂに固着されている。補強フレーム３２０ｂは、天板１００ｂに当接し且つ補強フレーム３１０ｂを貫通している。また、端部２１２ｂ１、２１２ｂ２の外面には、天板１００ａ、１００ｂが後述するように閉じ合わせられた状態で、雌ボタン２３２ａに嵌合する雄ボタン２３０ｂが設けられている（図１（ｂ）参照）。
【００３２】
脚部５００ｂは、脚部５００ａ同様に、回動脚５１０ｂと、懸架部材５２０ｂと、補強片５３０ｂと、延長脚５４０ｂとを有している。回動脚５１０ｂは、円筒状のポールであって、長さ方向の一端部が中間部２１２ｂ３に軸支されている。この回動脚５１０ｂは、前記一端部の軸部を支点に天板１００ｂに沿う折り畳み位置から該天板１００ｂに対して略直角に起立する展開位置にかけて回動自在になっている。補強片５３０ｂは、板状の部材であって、一端部が回動脚５１０ｂに固着され、他端部が補強フレーム３１０ｂに軸支されている。この補強片５３０ｂは、前記他端部の軸部を支点に回動脚５１０ｂと共に折り畳み位置から展開位置にかけて回動自在になっている。懸架部材５２０ｂは、脚部５００ａの第１、第２片部５２１ａ、５２２ａと同じ第１、第２片部を有している。第１、第２片部は、長さ方向の一端部同士が回動自在に連結されている。第１片部の長さ方向の他端部は中間部２１２ｂ３に回動自在に軸支されている。第２片部の長さ方向の他端部は回動脚５１０ｂに回動自在に軸支されている。回動脚５１０ｂが折り畳み位置に位置しているときには、第１、第２片部は互いに重なるように折り畳まれ、回動脚５１０ｂが展開位置に位置しているときには、第１、第２片部は一直線状になり、回動脚５１０ｂと中間部２１２ｂ３との間に懸架されるようになっている。また、延長脚５４０ｂは、延長脚５４０ａと同様に、回動脚５１０ｂの長さ方向の他端部に着脱自在に嵌合するようになっている。
【００３３】
蝶番４００は、図４及び図５に示すように、羽部４１０、４２０及び回動軸部４３０を有している。羽部４１０は同一の２枚の板体４１１、４１２を幅方向Ｘに重ね合せた構成となっている。この板体４１１、４１２がＵ字枠部２１０ｂの端部２１２ｂ１、２１２ｂ２の内面に取り付けられている。また、羽部４２０は、板状の羽部本体４２１と、この羽部本体４２１の外面に取り付けられた補強板４２２とを有する構成となっている。羽部本体４２１及び補強板４２２がＵ字枠部２１０ａの端部２１２ａ１、２１２ａ２の外面に取り付けられている。羽部４１０、４２０は、内側の板体４１２と補強板４２２とが、図４に示すように長さ方向Ｙにおいて一直線状に並ぶように配置されている。また、羽部４１０、４２０の高さ寸法は、図５（ａ）に示すように、端部２１２ｂ１、２１２ｂ２の高さ寸法の略半分となっている。回動軸部４３０は羽部４１０、４２０の端部を貫通するボルトとナットとで構成されている。回動軸部４３０のボルトを支点として羽部４１０、４２０が回動することにより、天板１００ａが天板１００ｂの裏面側に閉じ合わせ可能となっている。
【００３４】
以下、このような構成のテーブルを折り畳む手順について説明する。延長脚５４０ａ、５４０ｂを回動脚５１０ａ、５１０ｂから取り外す。その後、懸架部材５２０ａの第１、第２片部５２１ａ、５２２ａを互いに重なるように折り畳む。これと共に、回動脚５１０ａ及び補強片５３０ａを展開位置から折り畳み位置にかけて回動させる。これにより、回動脚５１０ａ、懸架部材５２０ａ及び補強片５３０ａがＵ字枠部２１０ａと補強フレーム３１０ａとに区画された空間に収容される。同様に、懸架部材５２０ｂの第１、第２片部を互いに重なるように折り畳む。これと共に、回動脚５１０ｂ及び補強片５３０ｂを展開位置から折り畳み位置にかけて回動させる。これにより、回動脚５１０ｂ、懸架部材５２０ｂ及び補強片５３０ｂがＵ字枠部２１０ｂと補強フレーム３１０ｂとに区画された空間に収容される。取り外した延長脚５４０ａ、５４０ｂは天板１００ｂの裏側の係止部に係止させる。
【００３５】
その後、天板１００ａを天板１００ｂの裏面側に折り畳む。すると、蝶番４００の羽部４２０が回動軸部４３０を支点に回動し、図５（ｂ）に示すように、羽部４１０の内側の板体４１２の下面と羽部４２０の補強板４２２の下面とが当接する。このとき、端部２１２ａ１、２１２ａ２は、端部２１２ｂ１、２１２ｂ２の内面より内側に位置するため、両者の干渉が避けられている。また、脚部５００ｂ及び補強フレーム３１０ｂは、図１（ｂ）に示すように、天板１００ａ、１００ｂの重なり領域の外側に位置するため、脚部５００ｂ及び補強フレーム３１０ｂと天板１００ａとの干渉も避けられている。この状態で、雌ボタン２３２ａに雄ボタン２３０ｂを嵌合させる。これにより、天板１００ａ、１００ｂが閉じ合わされた状態で維持される。
【００３６】
このようなテーブルによる場合、天板１００ａにＵ字枠部２１０ａ及び内側枠部２２０ａが取り付けられており、補強フレーム３１０ａがＵ字枠部２１０ａの端部２１２ａ１、２１２ａ２の間に懸架され、補強フレーム３２０ａがＵ字枠部２１０ａの中間部２１２ａ３と内側枠部２２０ａの枠本体２２２ａとの間に、補強フレーム３１０ａに対して直交するように懸架されている。このため、天板１００ａの強度を向上させることができる。また、天板１００ｂにＵ字枠部２１０ｂ及び内側枠部２２０ｂが取り付けられており、補強フレーム３１０ｂ、３３０ｂがＵ字枠部２１０ｂの端部２１２ｂ１、２１２ｂ２の間に懸架され、補強フレーム３２０ｂがＵ字枠部２１０ｂの中間部２１２ｂ３と内側枠部２２０ｂの枠本体２２２ｂとの間に、補強フレーム３１０ｂ、３３０ｂに対して直交するように懸架されている。このため、天板１００ｂの強度を向上させることができる。
【００３７】
しかも、脚部５００ａ、５００ｂの回動脚５１０ａ、５１０ｂの長さ方向の一端部が中間部２１２ａ３、２１２ｂ３に軸支され、補強片５３０ａ、５３０ｂの一端部が回動脚５１０ａ、５１０ｂに固着され、他端部が補強フレーム３１０ａ、３１０ｂに軸支されている。すなわち、補強フレーム３１０ａ、３１０ｂを補強片５３０ａ、５３０ｂの軸支部として利用しているため、別途、補強片５３０ａ、５３０ｂの軸支部を設ける場合に比べて部品点数の低減を図ることができ、本テーブルの低コスト化を図ることができる。
【００３８】
更に、天板１００ａ、１００ｂが閉じ合わされた状態で、Ｕ字枠部２１０ａの端部２１２ａ１、２１２ａ２がＵ字枠部２１０ｂの端部２１２ｂ１、２１２ｂ２の内面より内側に位置し、脚部５００ｂ及び補強フレーム３１０ｂが天板１００ａ、１００ｂの重なり領域の外側に位置している。よって、Ｕ字枠部２１０ａが脚部５００ｂ及び補強フレーム３１０ｂに干渉することなく、Ｕ字枠部２１０ｂの内側に収容されるので、折り畳んだ状態の本テーブルの厚みを低減することができる。また、脚部５００ａの回動脚５１０ａ、懸架部材５２０ａ及び補強片５３０ａと補強フレーム３１０ａはＵ字枠部２１０ａの枠本体２１２ａの内側に収容されているので、Ｕ字枠部２１０ｂに干渉することはない。また、雌ボタン２３２ａに雄ボタン２３０ｂを嵌合させるだけで、簡単に天板１００ａ、１００ｂを閉じ合わされた状態でロックすることができる。雌ボタン２３２ａは、強度の弱い樹脂製の舌部２３１ａに設けられているが、本テーブルは閉じ合わされた状態の厚みが小さくなっていることから、天板１００ａ、１００ｂが閉じ合わされた状態から開こうとすることにより舌部２３１ａにかかる負荷を小さくすることができる。
【実施例２】
【００３９】
次に、本発明の実施例２に係るテーブルについて上記図７及び図８を参照しつつ説明する。図７に示すテーブルは、一対の天板１００ａ’（第１天板）、天板１００ｂ’（第２天板）と、一対の枠２００ａ’と、枠２００ｂ’と、一対の補強フレーム３１０ａ（第１補強フレーム）、３２０ａ’、補強フレーム３２０ｂ’、３３０ｂ’と、一対の蝶番４００と、４つの脚部５００ａ（第１脚部）とを備えている。以下、前記テーブルの各部について詳しく説明する。
【００４０】
天板１００ｂ’は矩形状の板であって、幅方向Ｘの両辺部及び長さ方向Ｙの両辺部を有している。枠２００ｂ’は、天板１００ｂ’の幅方向Ｘの両辺部に固着された一対のＸ側枠部２１０ｂ’と、天板１００ｂ’の長さ方向Ｙの両辺部に固着された一対のＹ側枠部２２０ｂ’とを有している。Ｘ側枠部２１０ｂ’は、断面視横向き凹字状の嵌合部２１１ｂ’と、この嵌合部２１１ｂ’に設けられた板状の枠本体２１２ｂ’（第４、第５枠部）とを有している。嵌合部２１１ｂ’には天板１００ｂ’の幅方向Ｘの両辺部が嵌合している。枠本体２１２ｂ’の外面には、雄ボタン２３０ｂ’が２つずつ設けられている。Ｙ側枠部２２０ｂ’は、嵌合部に天板１００ｂ’の長さ方向Ｙの両辺部が嵌合する以外、実施例１の内側枠部２２０ｂと略同じ構成となっている。Ｘ側枠部２１０ｂ’の枠本体２１２ｂ’の間には、補強フレーム３３０ｂ’が懸架されている。Ｙ側枠部２２０ｂ’の枠本体の間には、補強フレーム３３０ｂ’に対して直交するように補強フレーム３２０ｂ’が懸架されている。補強フレーム３２０ｂ’、３３０ｂ’は実施例１の補強フレーム３２０ｂ、３３０ｂと略同じ構成となっている。
【００４１】
天板１００ａ’は、長さ方向Ｙの寸法が天板１００ｂ’の長さ方向Ｙの寸法の略半分になっている以外、実施例１の天板１００ａと同じ形状となっている。また、枠２００ａ’も、次の第１、第２点以外、実施例１の枠２００ａと略同じ構成となっている。枠２００ａ’のＵ字枠部２１０ａ’の長さ方向Ｙの寸法が天板１００ｂ’の長さ方向Ｙの寸法の略半分になっている（第１点）。枠２００ａ’のＵ字枠部２１０ａ’の端部２１２ａ１’、２１２ａ２’は、その外面がＸ側枠部２１０ｂ’の枠本体２１２ｂ’の内面より内側に位置するように配置されている（第２点）。また、補強フレーム３２０ａ’も、長さ方向Ｙの寸法が天板１００ｂ’の長さ方向Ｙの寸法の略半分になっている以外、実施例１の補強フレーム３２０ａと同じ構成となっている。補強フレーム３１０ａ及び脚部５００ａは実施例１と同じ構成となっている。
【００４２】
蝶番４００は、実施例１と略同じ構成となっている。蝶番４００の羽部４１０は、Ｘ側枠部２１０ｂ’の枠本体２１２ｂ’の内面に取り付けられている。蝶番４００の羽部４２０は、Ｕ字枠部２１０ａ’の端部２１２ａ１’、２１２ａ２’の外面に取り付けられている。蝶番４００の回動軸部４３０のボルトを支点として羽部４１０、４２０が回動することにより、図８に示すように、一対の天板１００ａ’が天板１００ｂ’の裏面側に観音開き状に開閉可能となっている。
【００４３】
以下、このような構成のテーブルを折り畳む手順について説明する。まず、実施例１と同様に脚部５００ａの延長脚５４０ａを取り外し、懸架部材５２０ａを折り畳むと共に、回動脚５１０ａ及び補強片５３０ａを展開位置から折り畳み位置にかけて回動させる。これにより、回動脚５１０ａ、懸架部材５２０ａ及び補強片５３０ａがＵ字枠部２１０ａ’と補強フレーム３１０ａとにより区画された空間に収容される。その後、一対の天板１００ａ’を天板１００ｂ’の裏面側に観音開き状に閉じ合わせる。すると、蝶番４００の羽部４２０が回動軸部４３０を支点に回動し、羽部４１０の内側の板体４１２の下面と羽部４２０の補強板４２２の下面とが当接する。このとき、Ｕ字枠部２１０ａ’の端部２１２ａ１’、２１２ａ２’は、Ｘ側枠部２１０ｂ’の枠本体２１２ｂ’の外面より内側に位置するため、両者の干渉が避けられている。また、脚部５００ａの回動脚５１０ａ、懸架部材５２０ａ及び補強片５３０ａと補強フレーム３１０ａが、Ｕ字枠部２１０ａ’の内側に収容されているので、脚部５００ａの回動脚５１０ａ、懸架部材５２０ａ及び補強片５３０ａと補強フレーム３１０ａが天板１００ｂ’に干渉しない。この状態で、雌ボタン２３２ａ’に雄ボタン２３０ｂ’を嵌合させる。これにより、天板１００ａ’、１００ｂ’が閉じ合わされた状態で維持される。
【００４４】
このようなテーブルによる場合、天板１００ａ’にＵ字枠部２１０ａ’及び内側枠部２２０ａ’が取り付けられており、補強フレーム３１０ａがＵ字枠部２１０ａ’の端部２１２ａ１’、２１２ａ２’の間に懸架され、補強フレーム３２０ａ’がＵ字枠部２１０ａ’の中間部２１２ａ３’と内側枠部２２０ａ’の枠本体２２２ａ’との間に補強フレーム３１０ａに対して直交するように懸架されている。このため、天板１００ａ’の強度を向上させることができる。また、天板１００ｂにＸ側枠部２１０ｂ’及びＹ側枠部２２０ｂ’が取り付けられており、補強フレーム３３０ｂ’がＸ側枠部２１０ｂ’の枠本体２１２ｂ’の間に懸架され、補強フレーム３２０ｂ’がＹ側枠部２２０ｂ’の枠本体の間に補強フレーム３３０ｂ’に対して直交するように懸架されている。このため、天板１００ｂ’の強度を向上させることができる。
【００４５】
しかも、脚部５００ａの回動脚５１０ａの長さ方向の一端部が中間部２１２ａ３に軸支され、補強片５３０ａの一端部が回動脚５１０ａに固着され、他端部が補強フレーム３１０ａに軸支されている。すなわち、補強フレーム３１０ａを補強片５３０ａの軸支部として利用しているため、別途、補強片５３０ａの軸支部を設ける場合に比べて部品点数の低減を図ることができ、本テーブルの低コスト化を図ることができる。
【００４６】
更に、天板１００ａ’、１００ｂ’が閉じ合わされた状態で、Ｕ字枠部２１０ａ’の端部２１２ａ１’、２１２ａ２’が、Ｘ側枠部２１０ｂ’の枠本体２１２ｂ’の内面より内側に位置するようになっている。すなわち、天板１００ａ’、１００ｂ’が観音開き状に閉じ合わされた状態で、Ｕ字枠部２１０ａ’が枠２００ｂ’に収容されるようになっているので、折り畳んだ状態の本テーブルの厚みを低減することができる。また、雌ボタン２３２ａ’に雄ボタン２３０ｂ’を嵌合させるだけで、簡単に天板１００ａ’、１００ｂ’を閉じ合わされた状態でロックすることができる。雌ボタン２３２ａ’は、強度の弱い樹脂製の舌部２３１ａ’に設けられているが、本テーブルは閉じ合わされた状態の厚みが小さくなっていることから、天板１００ａ’、１００ｂ’が閉じ合わされた状態から開こうとすることにより舌部２３１ａ’にかかる負荷を小さくすることができる。
【実施例３】
【００４７】
次に、本発明の実施例３に係るテーブルについて上記図９及び図１０を参照しつつ説明する。図９に示すテーブルは、天板１００ａ（第１天板）、１００ｂ’’（第２天板）、１００ｃと、枠２００ａ、２００ｂ’’、２００ｃと、補強フレーム３１０ａ（第１補強フレーム）、３２０ａ、３００ｂ’’、３１０ｃ、３２０ｃと、一対の蝶番４００、４００’と、一対の脚部５００ａ（第１脚部）、５００ｃとを備えている。以下、前記テーブルの各部について詳しく説明する。
【００４８】
天板１００ｂ’’は矩形状の板であって、幅方向Ｘの両辺部及び長さ方向Ｙの両辺部を有している。枠２００ｂ’’は、天板１００ｂ’’の幅方向Ｘの両辺部に固着された一対のＸ側枠部２１０ｂ’’と、天板１００ｂ’’の長さ方向Ｙの両辺部に固着された一対のＹ側枠部２２０ｂ’’とを有している。Ｘ側枠部２１０ｂ’’は、断面視横向き凹字状の嵌合部２１１ｂ’’と、この嵌合部２１１ｂ’’に設けられた板状の枠本体２１２ｂ’’（第４、第５枠部）とを有している。嵌合部２１１ｂ’’には天板１００ｂ’’の幅方向Ｘの両辺部が嵌合している。枠本体２１２ｂ’’の外面には、ピン２３０ｂ’’が各々設けられている。Ｙ側枠部２２０ｂ’’は、嵌合部に天板１００ｂ’’の長さ方向Ｙの両辺部が嵌合する以外、実施例１の内側枠部２２０ｂと略同じ構成となっている。但し、枠２００ｃの後述する内側枠部２２０ｃに隣接するＹ側枠部２２０ｂ’’は、枠本体の高さ寸法が枠本体２１２ｂ’’の高さ寸法と略同じになっている。Ｙ側枠部２２０ｂ’’の枠本体の間には、補強フレーム３００ｂ’’が懸架されている。補強フレーム３００ｂ’’は実施例１の補強フレーム３２０ｂと略同じ構成となっている。
【００４９】
天板１００ａ、枠２００ｂ、補強フレーム３１０ａ、３２０ａ及び脚部５００ａは、実施例１と略同じ構成となっている。
【００５０】
天板１００ｃは、外形が天板１００ａの外形よりも一廻り大きい略矩形状の板であって、幅方向Ｘの両辺部及び長さ方向Ｙの両辺部（一方、他方の辺部）を有している。枠２００ｃは、Ｕ字枠部２１０ｃと、内側枠部２２０ｃとを有している。Ｕ字枠部２１０ｃは、天板１００ｃの長さ方向Ｙの一方の辺部及び幅方向Ｘの両辺部に固着されている。このＵ字枠部２１０ｃは、外形がＵ字枠部２１０ａの外形よりも一廻り大きい以外同じ構成となっている。内側枠部２２０ｃは、天板１００ｃの長さ方向Ｙの他方の辺部に固着されている。内側枠部２２０ｃは、枠本体の高さ寸法がＵ字枠部２１０ｃの枠本体２１２ｃと同じである以外、内側枠部２２０ａと略同じ構成となっている。端部２１２ｃ１、２１２ｃ２の間には、補強フレーム３１０ｃが懸架されている。補強フレーム３１０ｃは、補強フレーム３１０ａと同じ構成となっている。また、中間部２１２ｃ３と内側枠部２２０ｃの枠本体２２２ｃとの間には、補強フレーム３１０ｃに対して直交するように補強フレーム３２０ｃが懸架されている。補強フレーム３２０ｃは、補強フレーム３２０ａと略同じ構成となっている。Ｕ字枠部２１０ｃの端部２１２ｃ１の外面には、フック２３０ｃが回動自在に設けられている。
【００５１】
脚部５００ｃは、脚部５００ａと同じ構成となっている。脚部５００ｃの回動脚５１０ｃは、円筒状のポールであって、長さ方向の一端部が中間部２１２ｃ３に軸支されている。この回動脚５１０ｃは、前記一端部の軸部を支点に天板１００ｃに沿う折り畳み位置から該天板１００ｃに対して略直角に起立する展開位置にかけて回動自在になっている。脚部５００ｃの補強片５３０ｃは、板状の部材であって、一端部が回動脚５１０ｃに固着され、他端部が補強フレーム３１０ｃに軸支されている。この補強片５３０ｃは、前記他端部の軸部を支点に回動脚５１０ｃと共に折り畳み位置から展開位置にかけて回動自在になっている。懸架部材５２０ｃは、平板状の第１、第２片部を有している。第１、第２片部は、長さ方向の一端部同士が回動自在に連結されている。第１片部の長さ方向の他端部は中間部２１２ｃ３に回動自在に軸支されている。第２片部５２２ｃの長さ方向の他端部は回動脚５１０ｃに回動自在に軸支されている。回動脚５１０ｃが折り畳み位置に位置しているときには、第１、第２片部は互いに重なるように折り畳まれ、回動脚５１０ｃが展開位置に位置しているときには、第１、第２片部は一直線状になり、回動脚５１０ｃと中間部２１２ｃ３との間に懸架されるようになっている。また、延長脚５４０ｃは、延長脚５４０ａと略同じ構成となっており、回動脚５１０ｃの長さ方向の他端部に着脱自在に嵌合するようになっている。
【００５２】
蝶番４００は実施例１と略同じ構成となっている。蝶番４００の羽部４１０は、Ｘ側枠部２１０ｂ’’の枠本体２１２ｂ’’の内面に取り付けられている。蝶番４００の羽部４２０は、Ｕ字枠部２１０ａの端部２１２ａ１、２１２ａ２の外面に取り付けられている。蝶番４００の回動軸部４３０のボルトを支点として羽部４１０、４２０が回動することにより、図１０に示すように、天板１００ａが天板１００ｂ’’の裏面側に閉じ合わせ可能となっている。
【００５３】
蝶番４００’は、羽部４１０’、４２０’及び回動軸部４３０’を有している。羽部４１０’は、Ｘ側枠部２１０ｂ’’の枠本体２１２ｂ’’の外面に取り付けられている。羽部４２０’は、Ｕ字枠部２１０ｃの端部２１２ｃ１、２１２ｃ２の外面に取り付けられている。回動軸部４３０’は羽部４１０’、４２０’の端部を貫通するボルトとナットとで構成されている。回動軸部４３０’のボルトを支点として羽部４１０’、４２０’が回動することにより、図１０に示すように、天板１００ｃが天板１００ａの表面側に閉じ合わせ可能となっている。
【００５４】
以下、このような構成のテーブルを折り畳む手順について説明する。まず、実施例１と同様に脚部５００ａ、５００ｃの延長脚５４０ａ、５４０ｃを取り外し、懸架部材５２０ａ、５２０ｃを折り畳むと共に、回動脚５１０ａ、５１０ｃ及び補強片５３０ａ、５３０ｃを展開位置から折り畳み位置にかけて回動させる。これにより、回動脚５１０ａ、懸架部材５２０ａ及び補強片５３０ａがＵ字枠部２１０ａと補強フレーム３１０ａとにより区画された空間に収容され、回動脚５１０ｃ、懸架部材５２０ｃ及び補強片５３０ｃがＵ字枠部２１０ｃと補強フレーム３１０ｃとにより区画された空間に収容される。
【００５５】
その後、天板１００ａを天板１００ｂ’’の裏面側に閉じ合わせる。すると、蝶番４００の羽部４２０が回動軸部４３０を支点に回動し、羽部４１０の内側の板体４１２の下面と羽部４２０の補強板４２２の下面とが当接する。このとき、Ｕ字枠部２１０ａの端部２１２ａ１、２１２ａ２は、Ｘ側枠部２１０ｂ’’の枠本体２１２ｂ’’の内面より内側に位置するため、両者の干渉が避けられている。また、脚部５００ａの回動脚５１０ａ、懸架部材５２０ａ及び補強片５３０ａと補強フレーム３１０ａが、Ｕ字枠部２１０ａの内側に収容されているので、脚部５００ａの回動脚５１０ａ、懸架部材５２０ａ及び補強片５３０ａと補強フレーム３１０ａと天板１００ｂ’’との干渉も避けられている。その後、天板１００ｃを天板１００ａの表面側に閉じ合わせる。すると、蝶番４００’の羽部４２０’が回動軸部４３０’を支点に回動し、Ｕ字枠部２１０ｃが天板１００ａの表面に当接する。その後、フック２３０ｃを傾動させ、ピン２３０ｂ’’に係止させる。これにより、本テーブルが折り畳んだ状態で維持される。
【００５６】
このようなテーブルによる場合、天板１００ａにＵ字枠部２１０ａ及び内側枠部２２０ａが取り付けられており、補強フレーム３１０ａがＵ字枠部２１０ａの端部２１２ａ１、２１２ａ２の間に懸架され、補強フレーム３２０ａがＵ字枠部２１０ａの中間部２１２ａ３と内側枠部２２０ａの枠本体２２２ａとの間に補強フレーム３１０ａに対して直交するように懸架されている。このため、天板１００ａの強度を向上させることができる。同様に、天板１００ｃにＵ字枠部２１０ｃ及び内側枠部２２０ｃが取り付けられており、補強フレーム３１０ｃがＵ字枠部２１０ｃの端部２１２ｃ１、２１２ｃ２の間に懸架され、補強フレーム３２０ｃがＵ字枠部２１０ｃの中間部２１２ｃ３と内側枠部２２０ｃの枠本体２２２ｃとの間に補強フレーム３１０ｃに対して直交するように懸架されている。このため、天板１００ｃの強度を向上させることができる。
【００５７】
しかも、脚部５００ａの回動脚５１０ａの長さ方向の一端部が中間部２１２ａ３に軸支され、補強片５３０ａの一端部が回動脚５１０ａに固着され、他端部が補強フレーム３１０ａに軸支されている。すなわち、補強フレーム３１０ａを補強片５３０ａの軸支部として利用しているため、別途、補強片５３０ａの軸支部を設ける場合に比べて部品点数の低減を図ることができる。同様に、補強フレーム３１０ｃについても、脚部５００ｃの補強片５３０ｃの軸支部として利用しているので、別途、補強片５３０ｃの軸支部を設ける場合に比べて部品点数の低減を図ることができる。よって、本テーブルの低コスト化を図ることができる。
【００５８】
更に、天板１００ａ、１００ｂ’’が閉じ合わされた状態で、Ｕ字枠部２１０ａの端部２１２ａ１、２１２ａ２が、Ｘ側枠部２１０ｂ’’の枠本体２１２ｂ’’の内面より内側に位置するようになっている。すなわち、天板１００ａ、１００ｂ’’が閉じ合わされた状態で、Ｕ字枠部２１０ａが枠２００ｂ’’に収容されるようになっているので、折り畳んだ状態の本テーブルの厚みを低減することができる。また、フック２３０ｃを回動させ、ピン２３０ｂ’’に係止させるだけで、簡単に本テーブルを折り畳んだ状態でロックすることができる。
【実施例４】
【００５９】
次に、本発明の実施例４に係るテーブルについて上記図１１及び図１２を参照しつつ説明する。図１１に示すテーブルは、天板１００ａ（第１天板）、１００ｂ’’（第２天板）、１００ｄ、１００ｅと、枠２００ａ、２００ｂ’’、２００ｄ、２００ｅと、補強フレーム３１０ａ（第１補強フレーム）、３２０ａ、３００ｂ’’、３１０ｄ、３２０ｄ、３１０ｅ、３２０ｅと、４つの蝶番４００と、２つの蝶番４００’と、一対の脚部５００ａ（第１脚部）、５００ｄ、５００ｅとを備えている。以下、前記テーブルの各部について詳しく説明する。
【００６０】
天板１００ｂ’’は矩形状の板であって、幅方向Ｘの両辺部及び長さ方向Ｙの両辺部を有している。枠２００ｂ’’は、天板１００ｂ’’の幅方向Ｘの両辺部に固着された一対のＸ側枠部２１０ｂ’’と、天板１００ｂ’’の長さ方向Ｙの両辺部に固着された一対のＹ側枠部２２０ｂ’’とを有している。Ｘ側枠部２１０ｂ’’は、断面視横向き凹字状の嵌合部２１１ｂ’’と、この嵌合部２１１ｂ’’に設けられた板状の枠本体２１２ｂ’’（第４、第５枠部）とを有している。嵌合部２１１ｂ’’には天板１００ｂ’’の幅方向Ｘの両辺部が嵌合している。枠本体２１２ｂ’’の外面には、ピン２３０ｂ’’（図示一つ）が各々設けられている。Ｙ側枠部２２０ｂ’’は、嵌合部に天板１００ｂ’’の長さ方向Ｙの両辺部が嵌合する以外、実施例１の内側枠部２２０ｂと略同じ構成となっている。但し、枠２００ｄの後述するＹ側枠部２２０ｄに隣接するＹ側枠部２２０ｂ’’の枠本体の高さ寸法は、枠本体２１２ｂ’’の高さ寸法と略同じになっている。Ｙ側枠部２２０ｂ’’の枠本体の間には、補強フレーム３００ｂ’’が懸架されている。補強フレーム３００ｂ’’は実施例１の補強フレーム３２０ｂと略同じ構成となっている。
【００６１】
天板１００ｄは天板１００ｂ’’と略同じ形状の板であって、幅方向Ｘの両辺部及び長さ方向Ｙの両辺部を有している。枠２００ｄは、天板１００ｄの幅方向Ｘの両辺部に固着された一対のＸ側枠部２１０ｄと、天板１００ｄの長さ方向Ｙの両辺部に固着された一対のＹ側枠部２２０ｄとを有している。Ｘ側枠部２１０ｄは、断面視横向き凹字状の嵌合部２１１ｄと、この嵌合部２１１ｄに設けられた板状の枠本体２１２ｄとを有している。嵌合部２１１ｄには天板１００ｄの幅方向Ｘの両辺部が嵌合している。枠本体２１２ｄの外面には、フック２３０ｄが各々回動自在に設けられている。Ｙ側枠部２２０ｄは、嵌合部に天板１００ｄの長さ方向Ｙの両辺部が嵌合する以外、実施例１の内側枠部２２０ｂと略同じ構成となっている。但し、Ｙ側枠部２２０に隣接するＹ側枠部２２０ｄの枠本体の高さ寸法は、枠本体２１２ｄの高さ寸法と略同じになっている。Ｘ側枠部２１０ｄの枠本体２１２ｄの間には、補強フレーム３１０ｄが懸架されている。Ｙ側枠部２２０ｄの枠本体の間には、補強フレーム３１０ｄに直交するように補強フレーム３２０ｄが懸架されている。補強フレーム３１０ｄ、３２０ｄは実施例１の補強フレーム３１０ｂ、３２０ｂと略同じ構成となっている。
【００６２】
脚部５００ｄは、脚部５００ａと略同じ構成となっている。脚部５００ｄの回動脚５１０ｄは、円筒状のポールであって、長さ方向の一端部がＹ側枠部２１０ｄに軸支されている。この回動脚５１０ｄは、前記一端部の軸部を支点に天板１００ｄに沿う折り畳み位置から該天板１００ｄに対して略直角に起立する展開位置にかけて回動自在になっている。脚部５００ｄの補強片５３０ｄは、板状の部材であって、一端部が回動脚５１０ｄに固着され、他端部が補強フレーム３１０ｄに軸支されている。この補強片５３０ｄは、前記他端部の軸部を支点に回動脚５１０ｄと共に折り畳み位置から展開位置にかけて回動自在になっている。懸架部材５２０ｄは、平板状の第１、第２片部を有している。第１、第２片部は、長さ方向の一端部同士が回動自在に連結されている。第１片部の長さ方向の他端部はＹ側枠部２２０ｄに回動自在に軸支されている。第２片部５２２ｄの長さ方向の他端部は回動脚５１０ｄに回動自在に軸支されている。回動脚５１０ｄが折り畳み位置に位置しているときには、第１、第２片部は互いに重なるように折り畳まれ、回動脚５１０ｄが展開位置に位置しているときには、第１、第２片部は一直線状になり、回動脚５１０ｄとＹ側枠部２２０ｄとの間に懸架されるようになっている。また、延長脚５４０ｄは、延長脚５４０ａと略同じ構成であり、回動脚５１０ｄの長さ方向の他端部に着脱自在に嵌合するようになっている。
【００６３】
天板１００ａ、枠２００ｂ、補強フレーム３１０ａ、３２０ａ及び脚部５００ａは、実施例１と略同じ構成となっている。
【００６４】
天板１００ｅ、枠２００ｅのＵ字枠部２１０ｅ及び補強フレーム３２０ｅは、長さ方向Ｙの寸法が天板１００ａ、枠２００ａのＵ字枠部２１０ａ及び補強フレーム３２０ｅの長さ方向Ｙの寸法よりも小さくなっている以外、天板１００ａ、枠２００ａのＵ字枠部２１０ａ及び補強フレーム３２０ｅと略同じ構成となっている。補強フレーム３１０ｅ及び脚部５００ｅは、補強フレーム３１０ａ及び脚部５００ａと同じ構成となっている。
【００６５】
蝶番４００は実施例１と略同じ構成となっている。蝶番４００の羽部４１０は、Ｘ側枠部２１０ｂ’’、２１０ｄの枠本体２１２ｂ’’、２１２ｄの内面に取り付けられている。蝶番４００の羽部４２０は、Ｕ字枠部２１０ａ、２１０ｅの端部２１２ａ１、２１２ａ２、２２１２ｅ１、２１２ｅ２の外面に取り付けられている。蝶番４００の回動軸部４３０のボルトを支点として羽部４１０、４２０が回動することにより、天板１００ａが天板１００ｂ’’の裏面側に、天板１００ｅが天板１００ｄの裏面側に各々閉じ合わせ可能となっている。
【００６６】
蝶番４００’は、羽部４１０’、４２０’及び回動軸部４３０’を有している。羽部４１０’は、Ｘ側枠部２１０ｂ’’の枠本体２１２ｂ’’の外面に取り付けられている。羽部４２０’は、Ｘ側枠部２１０ｄの枠本体２１２ｄの外面に取り付けられている。回動軸部４３０’は羽部４１０’、４２０’の端部を貫通するボルトとナットとで構成されている。回動軸部４３０’のボルトを支点として羽部４１０’、４２０’が回動することにより、図１２に示すように、天板１００ｂ’’と天板１００ｅが閉じ合わせ可能となっている。
【００６７】
以下、このような構成のテーブルを折り畳む手順について説明する。まず、実施例１と同様に脚部５００ａ、５００ｅの延長脚５４０ａ、５４０ｅを取り外し、懸架部材５２０ａ、５２０ｅを折り畳むと共に、回動脚５１０ａ、５１０ｅ及び補強片５３０ａ、５３０ｅを展開位置から折り畳み位置にかけて回動させる。これにより、回動脚５１０ａ、懸架部材５２０ａ及び補強片５３０ａがＵ字枠部２１０ａと補強フレーム３１０ａとにより区画された空間に収容され、回動脚５１０ｅ、懸架部材５２０ｅ及び補強片５３０ｅがＵ字枠部２１０ｅと補強フレーム３１０ｅとにより区画された空間に収容される。
【００６８】
その後、天板１００ａを天板１００ｂ’’の裏面側に閉じ合わせると共に、天板１００ｅを天板１００ｄの裏面側に閉じ合わせる。すると、蝶番４００の羽部４２０が回動軸部４３０を支点に各々回動し、羽部４１０の内側の板体４１２の下面と羽部４２０の補強板４２２の下面とが各々当接する。このとき、Ｕ字枠部２１０ａの端部２１２ａ１、２１２ａ２は、Ｘ側枠部２１０ｂ’’の枠本体２１２ｂ’’の内面より内側に位置するため、両者の干渉が避けられる。同様に、Ｕ字枠部２１０ｅの端部２１２ｅ１、２１２ｅ２は、Ｘ側枠部２１０ｄの枠本体２１２ｄの内面より内側に位置するため、両者の干渉が避けられる。また、脚部５００ａの回動脚５１０ａ、懸架部材５２０ａ及び補強片５３０ａと補強フレーム３１０ａが、Ｕ字枠部２１０ａの内側に収容されているので、脚部５００ａの回動脚５１０ａ、懸架部材５２０ａ及び補強片５３０ａと補強フレーム３１０ａが天板１００ｂ’’に干渉しない。同様に、脚部５００ｅの回動脚５１０ｅ、懸架部材５２０ｅ及び補強片５３０ｅと補強フレーム３１０ｅが、Ｕ字枠部２１０ｅの内側に収容されているので、脚部５００ｅの回動脚５１０ｅ、懸架部材５２０ｅ及び補強片５３０ｅと補強フレーム３１０ｅとが天板１００ｄに干渉しない。その後、天板１００ｂ’’、１００ｄを閉じ合わせる。すると、蝶番４００’の羽部４２０’が回動軸部４３０’を支点に回動し、天板１００ａの表面と天板１００ｅの表面とが互いに当接する。その後、フック２３０ｅを傾動させ、ピン２３０ｂ’’に係止させる。これにより、本テーブルが折り畳んだ状態で維持される。
【００６９】
このようなテーブルによる場合、天板１００ａにＵ字枠部２１０ａ及び内側枠部２２０ａが取り付けられており、補強フレーム３１０ａがＵ字枠部２１０ａの端部２１２ａ１、２１２ａ２の間に懸架され、補強フレーム３２０ａがＵ字枠部２１０ａの中間部２１２ａ３と内側枠部２２０ａの枠本体２２２ａとの間に補強フレーム３１０ａに対して直交するように懸架されている。このため、天板１００ａの強度を向上させることができる。同様に、天板１００ｅにＵ字枠部２１０ｅ及び内側枠部２２０ｅが取り付けられており、補強フレーム３１０ｅがＵ字枠部２１０ｅの端部２１２ｅ１、２１２ｅ２の間に懸架され、補強フレーム３２０ｅがＵ字枠部２１０ｅの中間部２１２ｅ３と内側枠部２２０ｅの枠本体２２２ｅとの間に補強フレーム３１０ｅに対して直交するように懸架されている。このため、天板１００ｅの強度を向上させることができる。また、天板１００ｄにＸ側枠部２１０ｄ及びＹ側枠部２２０ｄが取り付けられており、補強フレーム３１０ｄがＸ側枠部２１０ｄの枠本体２１２ｄの間に懸架され、補強フレーム３２０ｄがＹ側枠部２２０ｄの枠本体の間に補強フレーム３１０ｄに対して直交するように懸架されている。このため、天板１００ｄの強度を向上させることができる。
【００７０】
しかも、脚部５００ａの回動脚５１０ａの長さ方向の一端部が中間部２１２ａ３に軸支され、補強片５３０ａの一端部が回動脚５１０ａに固着され、他端部が補強フレーム３１０ａに軸支されている。すなわち、補強フレーム３１０ａを補強片５３０ａの軸支部として利用しているため、別途、補強片５３０ａの軸支部を設ける場合に比べて部品点数の低減を図ることができる。同様に、補強フレーム３１０ｄ、３１０ｅについても、脚部５００ｄ、５００ｅの補強片５３０ｄ、５３０ｅの軸支部として利用しているので、別途、補強片５３０ｄ、５３０ｅの軸支部を設ける場合に比べて部品点数の低減を図ることができる。よって、本テーブルの低コスト化を図ることができる。
【００７１】
更に、天板１００ａ、１００ｂ’’が閉じ合わされた状態で、Ｕ字枠部２１０ａの端部２１２ａ１、２１２ａ２が、Ｘ側枠部２１０ｂ’’の枠本体２１２ｂ’’の内面より内側に位置するようになっている。すなわち、天板１００ａ、１００ｂ’’が閉じ合わされた状態で、Ｕ字枠部２１０ａが枠２００ｂ’’に収容されるようになっている。同様に、天板１００ｄ、１００ｅが閉じ合わされた状態で、Ｕ字枠部２１０ｅの端部２１２ｅ１、２１２ｅ２が、Ｘ側枠部２１０ｄの枠本体２１２ｄの内面より内側に位置するようになっている。すなわち、天板１００ｄ、１００ｅが閉じ合わされた状態で、Ｕ字枠部２１０ｅが枠２００ｄに収容されるようになっている。このため、折り畳んだ状態の本テーブルの厚みを低減することができる。また、フック２３０ｅを回動させ、ピン２３０ｂ’’に係止させるだけで、簡単に本テーブルを折り畳んだ状態でロックすることができる。
【００７２】
なお、上述したテーブルは、上記実施例１〜４に限定されるものではなく、特許請求の範囲の範囲において任意に設計変更することが可能である。
【００７３】
上記実施例では、テーブルは、閉じ合わせ可能な複数の天板を備えているとしたが、少なくとも一つの天板を備えていれば良い。天板が一つであっても、該天板の辺部に第１、第２枠部を設け、この第１、第２枠部間に第１補強フレームを懸架することにより、前記天板の強度を向上させることができる。また、上記実施例では、天板は略矩形状であるとしたが、多角形状又は円板状（図１４参照）とすることができる。後者の場合、天板１００の周縁部に固着されたリング状の枠部２００に補強フレーム３１０（第４補強フレーム）を懸架すれば良い。
【００７４】
また、上述した脚部の回動脚は、天板の辺部又は周縁部に設けられた枠部に回動自在に設けられているとしたが、これに限定されるものではない。例えば、図１３に示すように、天板１００ｆ（第１天板）の幅方向Ｘの辺部に各々固着されたＸ側枠部２１０ｆ（第１、第２枠部）に懸架された補強フレーム３２０ｆ（第３補強フレーム）に、脚部５００ｆの回動脚５１０ｆが回動自在に軸支される構成とすることが可能である。なお、脚部５００ｆは、回動脚５１０ｆが補強フレーム３２０に回動自在に軸支されている以外、脚部５００ａと同じ構成である。補強フレーム３１０ｆは補強フレーム３１０ａと同じ構成である。また、図１４（ｂ）に示すように、天板１００の周縁部に固着されたリング状の枠部２００に懸架された補強フレーム３２０（第３補強フレーム）に、脚部５００の回動脚５１０が回動自在に軸支される構成とすることが可能である。なお、脚部５００は、回動脚５１０が補強フレーム３２０に回動自在に軸支されている以外、脚部５００ａと同じ構成である。また、上述した脚部の回動脚は、展開位置で天板に対して略直角に起立するとしたが、天板を支えることができる限り回動脚の天板に対する傾斜角は任意に設定可能である。なお、上述した脚部は折り畳み可能であるとしたが、天板を支持することができればよい。すなわち、折り畳み可能である必要はない。
【００７５】
また、上述した脚部の回動脚は、補強フレーム３１０ａ、３１０ｂ、３１０ｃ、３１０ｄ、３１０ｅに回動自在に軸支された構成とすることが可能である。この場合、上記懸架部材は、展開位置で前記回動脚と補強フレーム３１０ａ、３１０ｂ、３１０ｃ、３１０ｄ、３１０ｅとの間に懸架されるようになっている。前記懸架部材は、第１片部の長さ方向の他端部が補強フレーム３１０ａ、３１０ｂ、３１０ｃ、３１０ｄ、３１０ｅに回動自在に軸支されている以外、上記懸架部材５２０ａ、５２０ｂ、５２０ｃ、５２０ｄ、５２０ｅと同じとすることができる。補強片は、一端部が前記回動脚に設けられ、他端部が補強フレーム３１０ａ、３１０ｂ、３１０ｃ、３１０ｄ、３１０ｅに対向する枠部に回動自在に軸支されている。
【００７６】
上述した脚部の懸架部材は、第１、第２片部を有する構成であるとしたが、これに限定されるものではない。例えば、懸架部材が略長い板であり且つ基端部が枠部又は回動脚に回動自在に軸支されている場合、前記回動脚又は枠部に係止ピンを設け、前記回動脚が展開位置に位置している状態で、前記懸架部材の先端部に設けられた係止フックを前記係止ピンに係止させ、前記回動脚と前記枠部との間に懸架させるように構成することが可能である。
【００７７】
上述した補強フレーム３１０ａ、３１０ｂ、３１０ｃ、３１０ｅは、天板の辺部に固着された枠部に懸架され得るものである限り、任意に設計変更することが可能である。よって、前記補強フレームは、脚部の補強片の軸支部として機能している必要はない。また、上述した枠部は、天板の辺部に設けられ、前記補強フレームが懸架され得るものである限り、任意に設計変更することが可能である。
【００７８】
なお、上述したテーブルの各部を構成する素材、形状や寸法等はその一例を説明したものであって、同様の機能を実現し得る限り任意に設計変更することが可能である。
【符号の説明】
【００７９】
実施例１
１００ａ・・・天板（第１天板）
１００ｂ・・・天板（第２天板）
２００ａ・・・枠
２１０ａ・・Ｕ字枠部
２１１ａ・嵌合部
２１２ａ・枠本体
２１２ａ１・端部（第１枠部）
２１２ａ２・端部（第２枠部）
２１２ａ３・中間部（第３枠部）
２００ｂ・・・枠
２１０ｂ・・Ｕ字枠部
２１１ｂ・嵌合部
２１２ｂ・枠本体
２１２ｂ１・端部（第４枠部）
２１２ｂ２・端部（第５枠部）
２１２ｂ３・中間部（第６枠部）
３１０ａ・・・補強フレーム（第１補強フレーム）
３２０ａ・・・補強フレーム
３１０ｂ・・・補強フレーム（第２補強フレーム）
３２０ｂ・・・補強フレーム
３３０ｂ・・・補強フレーム
４００・・・・蝶番
５００ａ・・・脚部（第１脚部）
５００ｂ・・・脚部（第２脚部）
実施例２
１００ａ’・・天板（第１天板）
１００ｂ’・・天板（第２天板）
２００ａ’・・枠
２１０ａ’・Ｕ字枠部
２１１ａ’・嵌合部
２１２ａ’・枠本体
２１２ａ１’・端部（第１枠部）
２１２ａ２’・端部（第２枠部）
２１２ａ３’・中間部（第３枠部）
２００ｂ’・・枠
２１０ｂ’・Ｘ側枠部
２１１ｂ’・嵌合部
２１２ｂ’・枠本体（第４、第５枠部）
３１０ａ・・・補強フレーム（第１補強フレーム）
３２０ａ・・・補強フレーム
３２０ｂ・・・補強フレーム
３３０ｂ・・・補強フレーム
４００・・・・蝶番
５００ａ・・・脚部（第１脚部）
実施例３
１００ａ・・・天板（第１天板）
１００ｂ’’・天板（第２天板）
１００ｃ・・・天板
２００ａ・・・枠
２１０ａ・・Ｕ字枠部
２１１ａ・嵌合部
２１２ａ・枠本体
２１２ａ１・端部（第１枠部）
２１２ａ２・端部（第２枠部）
２１２ａ３・中間部（第３枠部）
２００ｂ’’・枠
２１０ｂ’’・Ｘ側枠部
２１１ｂ’’・嵌合部
２１２ｂ’’・枠本体（第４、第５枠部）
２００ｃ・・・枠
２１０ｃ・・Ｕ字枠部
２１１ｃ・嵌合部
２１２ｃ・枠本体
２１２ｃ１・端部
２１２ｃ２・端部
２１２ｃ３・中間部
３１０ａ・・・補強フレーム（第１補強フレーム）
３２０ａ・・・補強フレーム
３００ｂ・・・補強フレーム
３１０ｃ・・・補強フレーム
３２０ｃ・・・補強フレーム
４００・・・・蝶番
４００’・・・蝶番
５００ａ・・・脚部（第１脚部）
５００ｃ・・・脚部
実施例４
１００ａ・・・天板（第１天板）
１００ｂ’’・天板（第２天板）
１００ｄ・・・天板
１００ｅ・・・天板
２００ａ・・・枠
２１０ａ・・Ｕ字枠部
２１１ａ・嵌合部
２１２ａ・枠本体
２１２ａ１・端部（第１枠部）
２１２ａ２・端部（第２枠部）
２１２ａ３・中間部（第３枠部）
２００ｂ’’・枠
２１０ｂ’’・Ｘ側枠部
２１１ｂ’’・嵌合部
２１２ｂ’’・枠本体（第４、第５枠部）
２００ｄ・・・枠
２１０ｄ・・Ｘ側枠部
２１１ｄ・嵌合部
２１２ｄ・枠本体
２００ｅ・・・枠
２１０ｅ・・Ｕ字枠部
２１１ｅ・嵌合部
２１２ｅ・枠本体
２１２ｅ１・端部
２１２ｅ２・端部
２１２ｅ３・中間部
３１０ａ・・・補強フレーム（第１補強フレーム）
３２０ａ・・・補強フレーム
３００ｂ・・・補強フレーム
３００ｄ・・・補強フレーム
３１０ｅ・・・補強フレーム
３２０ｅ・・・補強フレーム
４００・・・・蝶番
４００’・・・蝶番
５００ａ・・・脚部（第１脚部）
５００ｄ・・・脚部
５００ｅ・・・脚部
【図１】
0005590989.tif 000002
【図２】
0005590989.tif 000003
【図３】
0005590989.tif 000004
【図４】
0005590989.tif 000005
【図５】
0005590989.tif 000006
【図６】
0005590989.tif 000007
【図７】
0005590989.tif 000008
【図８】
0005590989.tif 000009
【図９】
0005590989.tif 000010
【図１０】
0005590989.tif 000011
【図１１】
0005590989.tif 000012
【図１２】
0005590989.tif 000013
【図１３】
0005590989.tif 000014
【図１４】
0005590989.tif 000015